(57)【要約】      （修正有）【課題】木材やタイル等の硬い床から擦り傷を迅速に除去することができ、また、汚れを除去することもできるこすり傷除去装置兼掃除用具を提供する。【解決手段】内層をコアとしての中空のゴム３で、また、外層をフェルト７によるファジーフィラメントで形成した中空体１内にスティック状のハンドル２の一端５を挿入し、中空体１とハンドル２とを中空体１内への挿入口９で固定した。使用者は任意の角度でハンドル２を保持して先端の中空体１の外面を覆うファジーフィラメントであるフェルト７で擦ることで、液体洗浄剤を使用しなくても木材やタイル等の硬い床から擦り傷を迅速に除去することができる。【選択図】図１
0003214621.tif 000002
【実用新案登録請求の範囲】
【請求項１】
内層をコアとしての中空のゴムで、また、外層をフェルト等によるファジーフィラメントで形成した中空体内にスティック状のハンドルの一端を挿入し、中空体とハンドルとを中空体内への挿入口で固定したことを特徴とするこすり傷除去装置兼掃除用具。
【請求項２】
挿入口での固定は、中空体の内方への壁体の折り返し部分をハンドル外周に接着材で固定し、ハンドル先端は中空体の壁体内側面に当接し、接着材で固定する請求項１記載のこすり傷除去装置兼掃除用具。
【請求項３】
中空体はボールである請求項１または請求項２記載のこすり傷除去装置兼掃除用具。
【請求項４】
中空体は球体以外のものである請求項１または請求項２記載のこすり傷除去装置兼掃除用具。
【請求項５】
中空体のファジーフィラメントの外側をドライシートでくるみ、そのドライシート端をハンドルに嵌める外向き開口片を開口に設けたクリップ輪体でハンドルに止める請求項１ないし請求項４のいずれかに記載のこすり傷除去装置兼掃除用具。
【考案の詳細な説明】
【技術分野】
【０００１】
本考案は、木製の床やタイル床に出来るこすり傷あとを取り除くことができ、また、汚れを除去することもできるこすり傷除去装置兼掃除用具に関するものである。
【背景技術】
【０００２】
ハードウッドフローリングやタイルの床は、靴の底または椅子の足の先端のようなものでこすることによってすり傷等がつくことがある。
【０００３】
また、床は車いすのタイヤやペットのおしっこなどでも汚れ、このような傷や汚れ砥粒のスクラブパッドやその他のさまざまなデバイスで削除することができる。
【０００４】
既存のものとしては、モップハンドルの先端のスポンジに小さな研磨パッドを付けた擦り傷除去パッドがあり、これは小さくて平らなパッドであり、使用者が特定の角度でモップハンドルを保持し、スクラブパッドを擦り傷のマークと慎重に整列させる必要がある。
【０００５】
下記特許献は使用が簡単な効果的な擦り傷除去装置として提案されたもので、図８、図９に示すようにスティック状のハンドル２の先端にカラー１０を介してボール１２を取付けた擦り傷除去装置１００である。
【特許文献１】米国特許公開公報  No.US2004/0040105  A1  公開日  Mar.４、２００４
【０００６】
カラー１０は、ボール１２のハンドル２への取り付け手段であり、カラーの一端は、その凹面にわずかな凹部を有する部分球であり、ボール１２の表面をカラー１０に接合することができる接着材料８を受け入れることができる。
【０００７】
カラー１０の反対側には、スティック状のハンドル２の一端５を受け入れることができるネジ式レセプタクル４が設けられている。
【０００８】
使用者は任意の角度２０でハンドルを保持することができ、ボール１２の床面１４に対する前後のスクラビング作用が、いくつかのタイプの靴の底部および特定の椅子の先端部によって生成されるような共通の擦過傷マークを効果的かつ容易に除去することができる。
【考案の概要】
【考案が解決しようとする課題】
【０００９】
前記実用新案登録文献１の擦り傷除去装置１００では、ボール１２をハンドル２の一端５に取り付けるのに、凹部を有する部分球であるカラー１０が必要不可欠である。
【００１０】
また、ボール１２は加圧されたもので、空気が充填され漏出しないことが要求される。
【００１１】
さらに、床面の擦り傷除去以外では効果的ではなく、擦り傷以外の汚れや埃の除去で特に、床以外の場所の掃除には適していない。
【００１２】
本考案の目的は前記従来例の不都合を解消し、木材やタイル等の硬い床から擦り傷を迅速に除去するこすり傷除去装置であり、スティックハンドルの角度に関係なく、使用者が擦り傷マークを効果的に除去することを可能にするものとして、スティック状のハンドルを取り付けるのに、カラーのごとき特別に製作した特殊形状の器具を必要とせず簡単に取り付けることができ、また、空気を密閉した加圧体でなくとも、適宜な弾力性を発揮して、押し下げられて平坦なスポットを作り出すことができ、しかも完全に押しつぶされることはないこすり傷除去装置兼掃除用具を提供することにある。
【００１３】
また、本考案の目的は床だけでなく、ベースボードの上や棚等で手が届かいない所の掃除をすることもできるこすり傷除去装置兼掃除用具を提供することにある。
【課題を解決するための手段】
【００１４】
前記目的を達成するため請求項１記載の本考案は、内層をコアとしての中空のゴムで、また、外層をフェルト等によるファジーフィラメントで形成した中空体内にスティック状のハンドルの一端を挿入し、中空体とハンドルとを中空体への挿入口で固定したことを要旨とするものである。
【００１５】
請求項１記載の本考案によれば、使用者は任意の角度でハンドルを保持して先端の中空体の外面を覆うファジーフィラメントであるフェルトで擦ることで、液体洗浄剤を使用しなくても木材やタイル等の硬い床から擦り傷を迅速に除去することができる。
【００１６】
また、中空体は加圧状態を維持しなくてもコアの弾力のみで反発力を出すことができ、押し下げられて平坦なスポットを作り出すことができるが、完全に押しつぶされることはない。
【００１７】
さらに、ハンドルは一端を中空体内に挿入し、挿入口で固定するのでカラーのごとき特別に製作した特殊形状の器具を必要とせず簡単に取り付けることができる。
【００１８】
請求項２記載の本考案は、挿入口での固定は、中空体の内方への壁体の折り返し部分をハンドル外周に接着材で固定し、ハンドル先端は中空体の壁体内側面に当接し、接着材で固定することを要旨とするものである。
【００１９】
請求項２記載の本考案によれば、ハンドルは先端と挿入口での固定との２か所で中空体に固定でき、安定して固定できる。さらに、挿入口での固定は中空体の内方への壁体の折り返し部分をハンドル外周に接着材で固定できるので、別途部材を必要することなく固定が可能である。
【００２０】
請求項３記載の本考案は、中空体はボールであることを要旨とするものである。
【００２１】
請求項３記載の本考案によれば、中空体はボールであるので既存のテニスボール等を利用することができ、安価に製作できる。
【００２２】
請求項４記載の本考案は、中空体は球体以外のものであることを要旨とするものである。
【００２３】
請求項４記載の本考案によれば、中空体は球体以外の立法体、直方体、   台形等角部があるものとすることにより、種々の用途に対応することができる。
【００２４】
請求項５記載の本考案は、中空体のファジーフィラメントの外側をドライシートでくるみ、そのドライシート端をハンドルに嵌める外向き開口片を開口に設けたクリップ輪体でハンドルに止めることを要旨とするものである。
【００２５】
請求項５記載の本考案によれば、ドライシートを備えることで、床だけでなく、家具やベースボードや棚等の上の埃や汚れ、蜘蛛の巣等を効果的に除去でき、しかもこのドライシートはクリップ輪体でハンドルに止めるので、簡単に交換できる。
【考案の効果】
【００２６】
以上述べたように本考案のこすり傷除去装置兼掃除用具は、木材やタイル等の硬い床から擦り傷を迅速に除去する場合に、スティックハンドルの角度に関係なく、使用者が擦り傷マークを効果的に除去することを可能にするものとして、スティック状のハンドルを取り付けるのに、カラーのごとき特別に製作した特殊形状の器具を必要とせず簡単に取り付けることができ、また、空気を密閉した加圧体でなくとも、適宜な弾力性を発揮して、押し下げられて平坦なスポットを作り出すことができ、しかも完全に押しつぶされることはないものである。
【００２７】
また、ドライシートを用いることにより、床の擦り傷除去以外の埃や汚れの除去も行うことが可能なものである。
【図面の簡単な説明】
【００２８】
【図１】本考案のこすり傷除去装置兼掃除用具の第１実施形態を示す縦断側面図である。
【図２】本考案のこすり傷除去装置兼掃除用具の第１実施形態を示す拡大断面図である。
【図３】本考案のこすり傷除去装置兼掃除用具の第２実施形態を示す拡大断面図である。
【図４】クリップ輪体の側面図である。
【図５】クリップ輪体の横断平面図である。
【図６】本考案のこすり傷除去装置兼掃除用具の他の実施形態を示す説明図である。
【図７】テニスボールの切り欠いた斜視図である。
【図８】従来例を示す拡大縦断側面図である。
【考案を実施するための形態】
【００２９】
以下図面に基づいて本考案の実施の形態を詳細に説明する。図１は本考案のこすり傷除去装置兼掃除用具の１実施形態を示す縦断側面図、図２はその拡大断面図で、図中２はスティック状のハンドルを示し、５はこのハンドル２の一端である。
【００３０】
本考案はハンドル２の先端に中空体１を取り付けたものであるが、中空体１はコアとしての内層を中空のゴム３で形成し、外層をファジーフィラメントとしてのフェルト７で形成した。
【００３１】
中空体１はこれが図示のような球体としてのボール形状の場合は、標準的なテニスボールを利用することができる。
【００３２】
テニスボールは、図７に示すようにコアとしての中空のゴム３のゴム５で形成したコアボールの周りをおなじみの黄色いフェルト７（メーカーによってはメルトン）と呼ばれる繊毛でコーティングしてある。
【００３３】
コアボールの中に外気圧（１．８気圧程度）より高いガスを封入して反発力を得るようにしてガスが封入された缶の中に入れられた状態で販売されている。
【００３４】
新品のテニスボール、もしくは使用済のテニスボールでよいが、十字、もしくは放射状に切れ込みをいれて挿入口９を形成する。
【００３５】
ハンドル２を挿入口９から差し込み、先端５を中空体１の奥まで差し込んで中空のゴム３の壁体内側面に当接させ、接着材１１で固定した。
【００３６】
また、挿入口９では中空体１の内方への壁体の折り返し部分１３が生じるので、この折り返し部分１３をハンドル２の外周に接着材１１で固定する。
【００３７】
図３は本考案の第２実施形態を示すもので、前記第１実施形態のオプションとして中空体１のファジーフィラメントの外側をドライシート６でくるむものとした。
【００３８】
ドライシート６の材質としてはメラミン、フェルト等の布、もしくは、不織布または紙であり、形状は中空体１を包むことができれば特に限定はなく、正方形等の四角でもよい。
【００３９】
中空体１のファジーフィラメントの外側をドライシートでくるむには、そのドライシート６の端６ａをハンドル２の外側に束ねて沿わせ、ハンドル２に嵌めるクリップ輪体１５でハンドルに止める。
【００４０】
クリップ輪体１５は筒状の輪体１６に摘み１７を一体的に形成し、摘み１７の反対側に外向き開口片１９を設けた開口１８を形成し、また、筒状の輪体１６に弾力性を発揮させるために、外側に切り欠き２１を形成した。
【００４１】
クリップ輪体１５をハンドル２に嵌めるには、摘み１７を持って開口１８をハンドル２の側部に押し当てて、そのまま押し込めば、筒状の輪体１６は広がりながらハンドル２を内部に取り込む。
【００４２】
また、ドライシート６を交換するにはクリップ輪体１５をハンドル２から外し、再度新しいドライシート６をセットしてクリップ輪体１５をハンドル２に嵌めればよい。
【００４３】
以上述べた本考案のこすり傷除去装置兼掃除用具のこすり傷除去装置としての使用法は前記従来例と同じであり、中空体１の床面１４に対する前後のスクラビング作用が、いくつかのタイプの靴の底部および特定の椅子の先端部によって生成されるような共通の擦過傷マークを効果的かつ容易に除去する。
【００４４】
使用者は任意の角度でハンドル２を保持して床１４のす擦り傷除を中空体１で擦れば、標準的なグラファイトペンシル上に消しゴムが作用するのと同様に、外面を覆うフェルト等によるファジーフィラメントが優れたスカッフ除去媒体を作り、きれいな床面１４に著しい損傷を与えることなく、有効に擦り傷を除去することができる。
【００４５】
なお、液体洗浄剤を使用してもよいが、使用しなくても効果的である。
【００４６】
また、埃や汚れもファジーフィラメントで取れないわけではないが、床以外の場所、例えば、家具やベースボードの上、棚、壁の隅等で埃や蜘蛛の巣等が溜る場所ではドライシート６をセットして掃除を行う。
【００４７】
ドライシート６により汚れ等も除去することができる。
【００４８】
図６は中空体１がボールのような球体以外のものである場合の実施形態を示すもので、（Ａ）〜（Ｄ）のいずれもハンドル２はΦ１５ｍｍで、（Ａ）は第一例を示すもので、左側は側面、右側は正面で、側面においては中空体１の横径が３０ｍｍ、高さが７０ｍｍ、正面においては中空体１の横径が６０ｍｍで、上側角部に１０ｍｍ程度の突起を形成した。
【００４９】
（Ｂ）は第二例を示すもので、左側は側面、右側は正面で、側面においては中空体１の横径が３０ｍｍ、高さが６０ｍｍの円筒形、正面においては中空体１の横径が６０ｍｍ、高さが６０ｍｍで、一側をＲ（円弧）状に形成した。
【００５０】
（Ｃ）は第三例を示すもので、左側は側面、右側は正面で、側面においては
中空体１の横径が３０ｍｍ、高さが６０ｍｍの直方体形、正面においては中空体１の横径が６０ｍｍ、高さが６０ｍｍで、テーパー面を形成した。
【００５１】
（Ｄ）は第四例を示すもので、台形の錐形状のものである。
【００５２】
このように本考案のこすり傷除去装置は中空体は球体以外の立法体、直方体、台形等角部があるものとすることにより、種々の用途に対応することもできる。
【００５３】
なお、図示は省略するが中空体１はコアとしての内層を中空のゴム３で形成し、外層をファジーフィラメントとしてのフェルト７で形成したものであることは球体の場合と同様であり、また、中空体１に対するハンドル２の固定方法も球体の場合と同様である。
【００５４】
さらに、図３に示すようにクリップ輪体１５を用いてドライシート６をセットすることもできる。
【符号の説明】
【００５５】
１…中空体                ２…ハンドル
３…ゴム                  ４…ネジ式レセプタクル
５…一端                  ６…ドライシート
６ａ…端                  ７…フェルト
８…接着材料              ９…挿入口
１０…カラー              １１…接着材
１２…ボール              １３…折り返し部分
１４…床面                １５…クリップ輪体
１６…筒状の輪体          １７…摘み
１８…開口                １９…開口片
２０…角度                ２１…切り欠き
１００…擦り傷除去装置
【図１】
0003214621.tif 000003
【図２】
0003214621.tif 000004
【図３】
0003214621.tif 000005
【図４】
0003214621.tif 000006
【図５】
0003214621.tif 000007
【図６】
0003214621.tif 000008
【図７】
0003214621.tif 000009
【図８】
0003214621.tif 000010